(57)【要約】  複数の光源のうちの一部の光源が点灯不能である状況下でも、点灯不能の光源に割り当てられていた情報が全く表示されないという事態を回避可能な表示装置等を提供する。通常映像データ取得手段は、入力映像信号から、通常表示時に複数の光源にそれぞれ割り当てられる複数の映像データ（ＲＰ，ＧＰ，ＢＰ）を通常映像データ（Ｄ１）として取得する。演算手段（１５０）は、通常映像データ（Ｄ１）に含まれる複数の映像データ（ＲＰ，ＧＰ，ＢＰ）に対して所定の演算を行うことによって、予備表示時に通常映像データ（Ｄ１）に代わって用いられる予備映像データ（Ｄ２）を生成する。選択手段（１６０）は、通常映像データ（Ｄ１）と予備映像データ（Ｄ２）とのうちのいずれか一方を変調駆動手段へ供給するための選択処理を、制御手段の指示に従って行う。
2012032887.tif 000002
【特許請求の範囲】
【請求項１】
複数の光源（１０Ｒ，１０Ｇ，１０Ｂ）と、
前記複数の光源からの出射光（１１Ｒ，１１Ｇ，１１Ｂ）に対して光強度変調を行う変調手段（３０，３２）と、
前記変調手段を映像データ（ＲＤ，ＧＤ，ＢＤ）に基づいて駆動する変調駆動手段（８０）と、
前記変調駆動手段へ前記映像データを供給するデータ供給手段（９０）と、
前記データ供給手段を制御する制御手段（６０）と
を備え、
前記データ供給手段は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を、前記制御手段の指示に従って行う選択手段（１６０，１８０）と
を含む表示装置（１〜３）。
【請求項２】
請求項１に記載の表示装置であって、
前記所定の演算は前記通常映像データに含まれる前記複数の映像データの線形結合（但し係数は零でない）を含む、表示装置（１〜３）。
【請求項３】
請求項１に記載の表示装置であって、
前記予備映像データは前記複数の光源に対して共通に割り当てられる単一のデータである、表示装置（１〜３）。
【請求項４】
請求項１に記載の表示装置であって、
前記予備映像データは前記入力映像信号によって与えられる映像の輝度成分のデータ（Ｙ）であり、
前記所定の演算は前記通常映像データに含まれる前記複数の映像データから前記輝度成分のデータを生成する演算を含む、
表示装置（１〜３）。
【請求項５】
請求項１に記載の表示装置であって、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行う、表示装置（１〜３）。
【請求項６】
請求項１に記載の表示装置であって、
前記複数の光源の点灯状態を検出する検出手段（１９０）
をさらに備え、
前記制御手段は前記検出手段による検出結果に基づいて前記選択手段を制御する、
表示装置（２）。
【請求項７】
複数の光源（１０Ｒ，１０Ｇ，１０Ｂ）からの出射光（１１Ｒ，１１Ｇ，１１Ｂ）に対して光強度変調を行う映像表示方式に適用可能な映像処理装置（３００〜３０２）であって、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を、装置内または装置外からの指示に従って行う選択手段（１６０，１８０）と
を備える、映像処理装置（３００〜３０２）。
【請求項８】
複数の光源（１０Ｒ，１０１Ｇ，１０Ｂ）からの出射光（１１Ｒ，１１Ｇ，１１Ｂ）に対して光強度変調を行う表示装置を使った映像表示方法であって、
前記表示装置は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と
を備え、
前記複数の光源の全てが点灯可能な場合には前記通常映像データに基づいて前記光強度変調を行わせ、前記複数の光源のうちの一部のみが点灯可能な場合には前記予備映像データに基づいて前記光強度変調を行わせる、映像表示方法。
【発明の詳細な説明】
【技術分野】
【０００１】
本発明は、表示装置、映像処理装置および映像表示方法に関する。
【背景技術】
【０００２】
近年、投写型表示装置において光源として発光ダイオード（ＬＥＤ）を用いることが提案されている。特にＤＭＤ（Digital-Micromirror-Device）を用いたＤＬＰ（Digital-Light-Processing。登録商標）方式の表示装置では、赤色光を発光するＬＥＤ（以下、Ｒ−ＬＥＤとも称する）と、緑色光を発光するＬＥＤ（以下、Ｇ−ＬＥＤとも称する）と、青色光を発光するＬＥＤ（以下、Ｂ−ＬＥＤとも称する）とを用い、これら３色のＬＥＤを時系列に点灯させている（特許文献１参照）。このような投射型表示装置では、光源の発光色ごとに、光源の駆動回路が設けられている。より具体的には、Ｒ−ＬＥＤ用の定電流回路、Ｇ−ＬＥＤ用の定電流回路、Ｂ−ＬＥＤ用の定電流回路という、ＬＥＤの発光色に対応して３つの定電流回路が設けられている。【０００３】
上記表示装置では、入力映像信号は各色のデジタルデータ、すなわち赤色データ（以下、Ｒデータとも称する）と、緑色データ（以下、Ｇデータとも称する）と、青色データ（以下、Ｂデータとも称する）とに変換され、これらの各色データに従ってＤＭＤが駆動されることによって３色の光に強度変調が施される。すなわち、Ｒデータに従って赤色光が強度変調され、Ｇデータに従って緑色光が強度変調され、Ｂデータに従って青色光が強度変調される。強度変調された３色の光は投写レンズを通じてスクリーン等に投写され、これにより映像が表示される。
【先行技術文献】
【特許文献】
【０００４】
【特許文献１】特開２００５−３３１７０５号公報
【特許文献２】特開２００７−１６４０９９号公報
【発明の概要】
【発明が解決しようとする課題】
【０００５】
上記表示装置において、例えば定電流回路の故障等によりＲ−ＬＥＤが点灯不能になった場合、Ｒデータによって表現されるべき情報が表示上、完全に欠落してしまう。このため、重要な情報が表示できなくなるという問題が発生しうる。【０００６】
なお、他の色が点灯不能になる事態や、２色が点灯不能になる事態等も考えられる。また、光源の発光色および発光色数は上記例示の３色に限定されるものではない。また、ＬＥＤ以外の光源を用いた表示装置や、ＤＭＤ以外の光変調手段（例えば液晶パネル）を用いた表示装置においても同様の問題は起こりうる。【０００７】
本発明は、複数の光源のうちの一部の光源が点灯不能である状況下でも、点灯不能の光源に割り当てられていた情報が全く表示されないという事態を回避可能な表示装置、映像処理装置および映像表示方法を提供することを目的とする。
【課題を解決するための手段】
【０００８】
本発明の一態様に係る表示装置は、複数の光源と、前記複数の光源からの出射光に対して光強度変調を行う変調手段と、前記変調手段を映像データに基づいて駆動する変調駆動手段と、前記変調駆動手段へ前記映像データを供給するデータ供給手段と、前記データ供給手段を制御する制御手段とを備え、前記データ供給手段は、入力映像信号から、通常表示時に前記複数の光源にそれぞれ割り当てられる複数の映像データを通常映像データとして取得する通常映像データ取得手段と、前記通常映像データに含まれる前記複数の映像データに対して所定の演算を行うことによって、予備表示時に前記通常映像データに代わって用いられる予備映像データを生成する演算手段と、前記通常映像データと前記予備映像データとのうちのいずれか一方を前記変調駆動手段へ供給するための選択処理を、前記制御手段の指示に従って行う選択手段とを含む。
【発明の効果】
【０００９】
上記一態様によれば、通常映像データと予備映像データとを切り替え可能である。したがって、例えば一部の光源が点灯不能になった場合、通常映像データにおいて点灯不能の光源に割り当てられていた情報が全く表示されないという事態を、予備映像データの利用によって回避することが可能になる。【００１０】
また、通常映像データから予備映像データへの変換を演算によって行うので、いわゆるルックアップテーブル（ＬＵＴ）による変換に比べて、変換制御フローを簡潔にすること、装置構成の規模を小さくすること、演算内容の変更を容易にすること等が可能である。【００１１】
この発明の目的、特徴、局面、および利点は、以下の詳細な説明と添付図面とによって、より明白となる。
【図面の簡単な説明】
【００１２】
【図１】実施の形態１に係る表示装置を例示するブロック図である。
【図２】実施の形態１に係る通常映像データ取得手段を例示するブロック図である。
【図３】実施の形態１に係るデータ演算手段を例示するブロック図である。
【図４】実施の形態１に係る映像データ選択を例示するフローチャートである。
【図５】実施の形態１に係る表示装置の動作を例示する図である（通常表示、全ての光源が点灯可能）。
【図６】実施の形態１に係る表示装置の動作を例示する図である（通常表示、赤色の光源が点灯不能）。
【図７】実施の形態１に係る表示装置による表示映像を例示する図である（通常表示、全ての光源が点灯可能）。
【図８】実施の形態１に係る表示装置による表示映像を例示する図である（通常表示、赤色の光源が点灯不能）。
【図９】実施の形態１に係る表示装置の動作を例示する図である（予備表示、赤色の光源が点灯不能）。
【図１０】実施の形態１に係る表示装置による表示映像を例示する図である（予備表示、赤色の光源が点灯不能）。
【図１１】実施の形態１に係る表示装置の動作を例示する図である（予備表示、赤色および緑色の光源が点灯不能）。
【図１２】実施の形態２に係るデータ演算手段を例示するブロック図である。
【図１３】実施の形態２に係る映像データ選択を例示するフローチャートである。
【図１４】実施の形態３に係る表示装置の動作を例示する図である（予備表示、赤色の光源が点灯不能）。
【図１５】実施の形態３に係る表示装置の動作を例示する図である（予備表示、赤色および緑色の光源が点灯不能）。
【図１６】実施の形態４に係る表示装置を例示するブロック図である。
【図１７】実施の形態４に係る表示種別選択を例示するフローチャートである。
【図１８】実施の形態５に係る表示装置を例示するブロック図である。
【図１９】実施の形態６に係る映像処理装置を例示するブロック図である。
【図２０】実施の形態６に係る映像処理装置を例示するブロック図である。
【図２１】実施の形態６に係る映像処理装置を例示するブロック図である。
【発明を実施するための形態】
【００１３】
＜実施の形態１＞
＜表示装置１の全体構成＞
図１に実施の形態１に係る表示装置１のブロック図を例示する。表示装置１は、いわゆる投写型の表示装置であり、ユーザはスクリーン５０に投写された映像を見ることになる。
【００１４】
一般に、投写型表示装置はフロント型とリア型に大別される。フロント型ではユーザはスクリーン５０の投写面の側から投写映像を見る。フロント型は直視型とも称される。これに対し、リア型ではユーザはスクリーン５０の投写面の反対側から、すなわちスクリーン５０越しに投写映像を見る。なお、スクリーン５０は専用部材の他、例えば室内外の壁面、ガラス面等によって具現可能である。
【００１５】
ここでは表示装置１がフロント型であり、スクリーン５０が表示装置１とは別個の部材として準備される場合を例示するが、これに限定されるものではない。すなわち、表示装置１の構成はリア型にも応用可能である。また、スクリーン５０が表示装置１の一要素を構成する場合もある。
【００１６】
表示装置１は、図１の例では、３つの光源１０Ｒ，１０Ｇ，１０Ｂと、光路合成手段２０と、変調手段３０と、投写手段４０と、制御手段６０と、光源駆動手段７０と、変調駆動手段８０と、データ供給手段９０と、操作手段１００とを含んでいる。なお、図中では例えば「制御手段」を「制御」のように略記している。
【００１７】
光源１０Ｒ，１０Ｇ，１０Ｂはそれぞれが所定の色の光を出射する。ここでは光源１０Ｒ，１０Ｇ，１０Ｂの発光色が互いに異なる場合を例示するが、光源１０Ｒ，１０Ｇ，１０Ｂの発光色が全て同じである場合にも以下の説明は当てはまる。
【００１８】
ここでは光源１０Ｒ，１０Ｇ，１０ＢがＬＥＤである場合を例示する。より具体的には、光源１０Ｒが赤色光を発光するＬＥＤ（以下、Ｒ−ＬＥＤとも称する）であり、光源１０Ｇが緑色光を発光するＬＥＤ（以下、Ｇ−ＬＥＤとも称する）であり、光源１０Ｂが青色光を発光するＬＥＤ（以下、Ｂ−ＬＥＤとも称する）である場合を例示する。なお、以下の説明では、光源１０ＲをＬＥＤ１０ＲまたはＲ−ＬＥＤ１０Ｒと称する場合もあり、光源１０Ｇ，１０Ｂについても同様とする。なお、光源１０Ｒ，１０Ｇ，１０ＢはＬＥＤ以外の光源、例えばレーザ等で構成することも可能である。
【００１９】
ＬＥＤ１０Ｒ，１０Ｇ，１０Ｂから出射した光１１Ｒ，１１Ｇ，１１Ｂは、光路合成手段２０と、変調手段３０と、投写手段４０とを順次辿って、スクリーン５０の同じ領域上に導かれる。換言すれば、そのような光路を辿るように、ＬＥＤ１０Ｒ，１０Ｇ，１０Ｂと、光路合成手段２０と、変調手段３０と、投写手段４０とが配置されている。なお、当該光路はここで例示しない要素を含んで構成されてもよい。
【００２０】
光路合成手段２０は、ＬＥＤ１０Ｒ，１０Ｇ，１０Ｂの出射光１１Ｒ，１１Ｇ，１１Ｂを同じ方向へ、換言すれば同じ光路に導く。光路合成手段２０としてここではダイクロイックミラーを例示し、光路合成手段２０をダイクロイックミラー２０とも称することにする。なお、光路合成手段２０はダイクロイックミラーに限定されるものではない。また、光路合成手段２０を複数の光学部品によって構成してもよい。
【００２１】
変調手段３０は、ＬＥＤ１０Ｒ，１０Ｇ，１０Ｂの出射光１１Ｒ，１１Ｇ，１１Ｂ（ここではダイクロイックミラー２０によって光路が調整された後の光１１Ｒ，１１Ｇ，１１Ｂ）に対して、光強度変調（以下、変調とも称する）を施す。光強度変調は変調手段３０の画素単位で行われる。
【００２２】
変調手段３０は、ここでは単一の変調素子によって構成されている。なお、かかる態様に鑑みて、変調手段３０を変調素子３０とも称することにする。単一の変調素子３０はＬＥＤ１０Ｒ，１０Ｇ，１０Ｂで共用され、ＬＥＤ１０Ｒ，１０Ｇ，１０Ｂからの出射光１１Ｒ，１１Ｇ，１１Ｂを時分割（換言すれば時系列）で処理する。
【００２３】
変調素子３０は、例えば液晶パネル、ＤＭＤ（Digital-Micromirror-Device）等によって具現可能である。これらの変調素子による光強度変調は公知の各種手法によって行われるものとし、ここではその詳述は割愛する。なお、変調素子は一般に透過型と反射型とに大別され、液晶パネルは透過型の一例であり、ＤＭＤは反射型の一例である。図１には透過型の変調素子３０が例示されている。
【００２４】
投写手段４０は、変調手段３０から出力される変調後の光３１Ｒ，３１Ｇ，３１Ｂを、典型的には拡大投写する。ここでは投写手段４０は単一の投写素子（投写レンズが例示される）によって構成されている。なお、かかる態様に鑑みて、投写手段４０を投写レンズ４０とも称することにする。投写レンズ４０から投写された変調光３１Ｒ，３１Ｇ，３１Ｂは光路上に位置するスクリーン５０に映像を映し出す。なお、投写素子は複数のレンズ等が組み合わされたレンズユニットであっても構わない。
【００２５】
制御手段６０は、後述の各種処理（制御処理、ユーザ入力取得処理等）を担う。制御手段６０は、例えば、マイクロプロセッサ（ＭＰＵ、ＣＰＵ、マイクロコンピュータとも称される）と、当該マイクロプロセッサがアクセス可能に設けられたメモリとを含んで具現可能である。この例の場合、マイクロプロセッサが、メモリに予め格納されているプログラムに記述された処理ステップ（換言すれば処理手順）を実行することにより、各種処理が行われる。
【００２６】
かかる構成例によれば、マイクロプロセッサによって１つまたは複数の処理ステップに対応する各種機能が実現される。あるいは、マイクロプロセッサが１つまたは複数の処理ステップに対応する各種手段として機能する。
【００２７】
なお、上記マイクロプロセッサは例えばマルチプロセッサまたはマルチコアの構成を採用することも可能である。また、上記メモリは、例えばＲＯＭ（Read Only Memory）、ＲＡＭ（Random Access Memory）、書き換え可能な不揮発性メモリ（ＥＰＲＯＭ（Erasable Programmable ROM）等）の１つまたは複数を含んで構成可能である。メモリは、上記のようにプログラムを格納する他に、各種データ等を格納し、また、プログラムを実行するための作業領域を提供する。
【００２８】
かかる構成例によれば制御手段６０による各種処理はソフトウェアによって具現化されるが、かかる各種処理の一部または全部をハードウェアによって実現することも可能である。
【００２９】
光源駆動手段７０は、光源１０Ｒ，１０Ｇ，１０Ｂへ駆動電力を供給し、これにより光源１０Ｒ，１０Ｇ，１０Ｂを駆動する。光源１０Ｒ，１０Ｇ，１０ＢがＬＥＤで構成される例では、光源駆動手段７０として定電流供給源が例示される。また、ここではＬＥＤ１０Ｒ，１０Ｇ，１０Ｂのそれぞれに定電流回路が設けられる構成を例示する。すなわち、Ｒ−ＬＥＤ１０Ｒへ駆動電流を供給するＲ定電流回路７１Ｒと、Ｇ−ＬＥＤ１０Ｇへ駆動電流を供給するＧ定電流回路７１Ｇと、Ｂ−ＬＥＤ１０Ｂへ駆動電流を供給するＢ定電流回路７１Ｂとが設けられている。
【００３０】
Ｒ定電流回路７１Ｒは、データ供給手段９０から垂直同期信号Ｖｓｙｎｃを取得し、制御手段６０から制御信号６１Ｒを取得し、これらの信号Ｖｓｙｎｃ，６１Ｒに基づいて所定のタイミングでＲ−ＬＥＤ１０Ｒを駆動する。同様に、定電流回路７１Ｇ，７１Ｂは、データ供給手段９０から垂直同期信号Ｖｓｙｎｃを取得し、制御手段６０から制御信号６１Ｇ，６１Ｂをそれぞれ取得する。そして、Ｇ定電流回路７１Ｇは取得した信号Ｖｓｙｎｃ，６１Ｇに基づいて所定のタイミングでＧ−ＬＥＤ１０Ｇを駆動し、Ｂ定電流回路７１Ｂは取得した信号Ｖｓｙｎｃ，６１Ｂに基づいて所定のタイミングでＢ−ＬＥＤ１０Ｂを駆動する。なお、ＬＥＤ１０Ｒ，１０Ｇ，１０Ｂの駆動タイミングについては後述する。
【００３１】
変調駆動手段８０は、データ供給手段９０から、Ｒ−ＬＥＤ１０Ｒ，Ｇ−ＬＥＤ１０ＧおよびＢ−ＬＥＤ１０Ｂにそれぞれ割り当てられた映像データＲＤ，ＧＤ，ＢＤを取得し、映像データＲＤ，ＧＤ，ＢＤに基づいて変調素子３０を駆動する。より具体的には、変調駆動手段８０は、映像データＲＤ，ＧＤ，ＢＤと変調素子３０に採用された変調手法とに従って、変調素子３０の各画素に対する駆動電力の供給を制御する。これにより、各画素は採用された変調手法に従った所定状態をとる。
【００３２】
また、変調駆動手段８０は、データ供給手段９０から垂直同期信号Ｖｓｙｎｃを取得し、制御手段６０から制御信号６２を取得し、これらの信号Ｖｓｙｎｃ，６２に基づいて変調素子３０の駆動タイミングを制御する。かかる駆動タイミングについては後述する。
【００３３】
つまり、変調駆動手段８０は、変調素子３０の各画素を所定タイミングで所定状態に駆動する。
【００３４】
なお、変調駆動手段８０は、いわゆる駆動電力供給制御回路として主にハードウェアによって具現可能である。
【００３５】
データ供給手段９０は、変調駆動手段８０へ映像データＲＤ，ＧＤ，ＢＤおよび垂直同期信号Ｖｓｙｎｃを供給する。図１の例ではデータ供給手段９０は通常映像データ取得手段１２０と、データ演算手段１４０とを含んでいる。データ供給手段９０については後述する。
【００３６】
操作手段１００は、ユーザと表示装置１とを繋ぐマン・マシン・インターフェースであり、ここでは制御手段６０との間で通信可能に設けられている。これにより、ユーザは操作手段１００を介して制御手段６０へ各種の指示やデータを入力することができる。操作手段１００は、例えば表示装置１に設けられる操作パネルとして具現可能である。あるいは、操作手段１００を例えばリモコンシステムによって具現化しても構わない。
【００３７】
ここでは操作手段１００は映像装置１の一要素として例示するが、操作手段１００として表示装置１とは別個の装置等を利用することも可能である。例えば、表示装置１に接続され表示映像を供給する装置（例えばパーソナルコンピュータ）の操作手段によって、表示装置１を操作するように構成することも可能である。
【００３８】
＜データ供給手段９０の構成＞
データ供給手段９０（図１参照）に関連して、図２に通常映像データ取得手段１２０のブロック図を例示し、図３にデータ演算手段１４０のブロック図を例示する。
【００３９】
＜通常映像データ取得手段１２０の構成＞
通常映像データ取得手段１２０は、通常表示時にＬＥＤ１０Ｒ，１０Ｇ，１０Ｂにそれぞれ割り当てられる映像データＲＰ，ＧＰ，ＢＰを、入力映像信号１１０から取得する。なお、以下では、通常時に用いられる映像データＲＰ，ＧＰ，ＢＰをまとめて通常映像データＤ１と称する場合もある。
【００４０】
通常映像データ取得手段１２０は、図２の例では、配線１２１と、アナログ／デジタル変換器（以下、Ａ／Ｄとも称する）１２２と、画素変換手段１２３とを含んでいる。
【００４１】
配線１２１は、入力映像信号１１０を、表示装置１の内部または外部の映像供給源から、Ａ／Ｄ１２２へ伝達する。入力映像信号１１０として、ここではパーソナルコンピュータのビデオカード等から出力されるアナログＲＧＢ映像信号を例示する。
【００４２】
Ａ／Ｄ１２２は、入力された入力映像信号１１０をデジタルデータＲ０，Ｇ０，Ｂ０に変換する。すなわち、アナログＲＧＢ映像信号１１０は、当該信号１１０によって供給される映像の赤色、緑色および青色の成分に関するデジタルデータＲ０，Ｇ０，Ｂ０に変換される。デジタルデータＲ０，Ｇ０，Ｂ０のそれぞれは、例えば８ビットのデータであり、換言すれば８ビット（２５６段階）の階調データである。
【００４３】
画素変換手段１２３は、Ａ／Ｄ１２２からデジタルデータＲ０，Ｇ０，Ｂ０を取得し、これらのデータＲ０，Ｇ０，Ｂ０に基づいて、表示装置１の出力解像度および出力タイミングに適合したデジタルデータＲＰ，ＧＰ，ＢＰおよび垂直同期信号Ｖｓｙｎｃを生成する。垂直同期信号Ｖｓｙｎｃは、１フレームの映像を表示する際に基準となる信号であり、例えば６０Ｈｚの周波数を有する。
【００４４】
例えば、入力映像信号１１０が１０２４×７６８の画素数および８０Ｈｚの垂直周波数を有し、表示装置１の仕様が画素数１４００×１０５０および垂直周波数６０Ｈｚである場合、画素変換手段１２３によって、解像度１０２４×７６８の映像が１４００×１０５０の解像度に拡大変換されるとともに、出力周波数が６０Ｈｚとなるようにフレームレート変換が行われる。
【００４５】
かかる変換処理の結果、デジタルデータＲＰ，ＧＰ，ＢＰが得られる。変換処理後のデジタルデータＲＰ，ＧＰ，ＢＰは、変換処理前のデジタルデータＲ０，Ｇ０，Ｂ０と同様に赤色、緑色および青色の成分に関するデジタルデータであり、それぞれ例えば８ビットのデータである。
【００４６】
なお、画素変換手段１２３はハードウェア、ソフトウェアまたはそれらの組合せによって具現可能である。
【００４７】
映像データＲＰ，ＧＰ，ＢＰ（すなわち通常映像データＤ１）は、データ演算手段１４０へ供給される（図１および図３参照）。垂直同期信号Ｖｓｙｎｃは、データ演算手段１４０と変調駆動手段８０と定電流回路７１Ｒ，７１Ｇ，７１Ｂとへ供給され（図１参照）、例えば動作タイミングの基準信号として利用される。
【００４８】
なお、通常映像データ取得手段９０は、他のデータや信号、例えばデータ演算手段１４０と変調駆動手段８０とに供給する水平同期信号を出力するように構成してもよい。
【００４９】
また、入力映像信号１１０は例えばデジタルＲＧＢ映像信号であってもよい。また、入力映像信号１１０は、ＲＧＢ映像信号だけでなく、ビデオコンポジット信号、ＹＣｂＣｒ信号、ＳＤＩ信号等の他のフォーマットの映像信号であってもよい。入力映像信号１１０の種類に応じて、通常映像データ取得手段９０の構成は適宜変形される。
【００５０】
例えば、入力映像信号１１０が映像データＲＰ，ＧＰ，ＢＰおよび垂直同期信号Ｖｓｙｎｃを含んでいる場合、通常映像データ取得手段９０は図２の例に倣えば配線１２１だけで構成され、当該配線１２１によって映像データＲＰ，ＧＰ，ＢＰおよび垂直同期信号Ｖｓｙｎｃを取得することになる。
【００５１】
＜データ演算手段１４０の構成＞
データ演算手段１４０は、図３の例では、演算手段１５０と、選択手段１６０とを含んでいる。
【００５２】
演算手段１５０は、通常映像データＤ１すなわち映像データＲＰ，ＧＰ，ＢＰを取得し、当該データＲＰ，ＧＰ，ＢＰに対して所定の演算を行うことによって予備映像データＤ２を生成する。換言すれば、演算手段１５０は、通常映像データ１２４から予備映像データＤ２への変換を所定の演算に従って行う。なお、予備映像データＤ２は、予備表示時に通常映像データ１２４に代わって用いられる映像データである。予備表示は後述の説明から明らかになる。
【００５３】
図３に例示の演算手段１５０は、乗算器１５１Ｒ，１５１Ｇ，１５１Ｂと、加算器１５２とを含んでいる。乗算器１５１Ｒは、通常映像データＤ１に含まれる赤色成分に関する映像データＲＰを取得し、当該データＲＰに所定の係数αｒ（≠０）を乗算し、その乗算結果を出力する。同様に、乗算器１５１Ｇ，１５１Ｂは、映像データＧＰ，ＢＰを取得し、当該データＧＰ，ＢＰに所定の係数αｇ，αｂ（≠０）を乗算して出力する。加算器１５２は、乗算器１５１Ｒ，１５１Ｇ，１５１Ｂから出力される乗算結果を加算し、加算結果を予備映像データＤ２として出力する。かかる演算内容は次の式（１）によって表現される。
【００５４】
【数１】
2012032887.tif 000003
【００５５】
つまり、演算手段１５０によれば、映像データＲＰ，ＧＰ，ＢＰの線形結合演算が実行される。係数αｒ，αｇ，αｂは任意の値（≠０）に設定可能である。
【００５６】
例えば、国際電気通信連合（ＩＴＵ）が定めたＩＴＵ−Ｒ  ＢＴ．６０１を参照することができる。すなわち、ＩＴＵ−Ｒ  ＢＴ．６０１はＲＧＢデータからＹＣｂＣｒデータへの変換（以下、ＲＧＢ→ＹＣｂＣｒのように表現する）に関する数式を定義しており、このうちＲＧＢデータから輝度データＹを算出するための式は次式（２）で与えられる。
【００５７】
【数２】
2012032887.tif 000004
【００５８】
この場合、αｒ＝０．２９８９１，αｇ＝０．５８６６１，αｂ＝０．１１４４８という設定を採用することにより、演算手段１５０によってＩＴＵ−Ｒ  ＢＴ．６０１に従ったＲＧＢ→Ｙ変換が行われる。
【００５９】
また、例えばＩＴＵ−Ｒ  ＢＴ．７０９はＲＧＢ→ＹＰｂＰｒの変換式を定義しており、このうちＲＧＢ→Ｙ変換式は次式（３）で与えられる。
【００６０】
【数３】
2012032887.tif 000005
【００６１】
この場合、αｒ＝０．２１２６，αｇ＝０．７１５２，αｂ＝０．０７２２という設定を採用することにより、演算手段１５０によってＩＴＵ−Ｒ  ＢＴ．７０９に従ったＲＧＢ→Ｙ変換が行われる。
【００６２】
演算手段１５０による演算はＲＧＢ→Ｙ変換に限定されるものではないが、ここでは演算手段１５０がＲＧＢ→Ｙ変換を行う場合を例示する。このため、以下では予備映像データＤ２を予備映像データＹと称する場合もある。
【００６３】
選択手段１６０は、通常映像データＤ１と予備映像データＤ２とのうちのいずれか一方を変調駆動手段８０（図１参照）へ供給するための選択処理を行う。かかる選択は制御手段６０（図１参照）の指示に従って行われる。
【００６４】
ここでは、選択手段１６０が通常映像データＤ１と予備映像データＤ２とを取得し、両データＤ１，Ｄ２のうちのいずれか一方を制御手段６０の選択指示に従って出力する構成を例示する。
【００６５】
すなわち、図３に例示の選択手段１６０は、Ｒ選択手段１６１Ｒと、Ｇ選択手段１６１Ｇと、Ｂ選択手段１６１Ｂとを含んでいる。Ｒ選択手段１６１Ｒは、通常映像データＤ１に含まれる映像データＲＰと、予備映像データＤ２とを取得し、両データＲＰ，Ｄ２のうちのいずれか一方を出力データＲＤとして出力する。同様に、Ｇ選択手段１６１Ｇは映像データＧＰまたは予備映像データＤ２を出力データＧＤとして出力し、Ｂ選択手段１６１Ｂは映像データＢＰまたは予備映像データＤ２を出力データＢＤとして出力する。
【００６６】
ここで、選択手段１６１Ｒ，１６１Ｇ，１６１Ｂは制御手段６０（図１参照）から制御信号６３を取得している。当該制御信号６３は、データ選択の指示内容を伝達する信号であり、通常映像データＤ１すなわち映像データＲＰ，ＧＰ，ＢＰを選択させる指示（例えば制御信号６３のＬレベルに対応付けられる）と、予備映像データＤ２を選択させる指示（例えば制御信号６３のＨレベルに対応付けられる）とのうちのいずれか一方に設定される。
【００６７】
選択手段１６１Ｒ，１６１Ｇ，１６１Ｂのいずれにも同じ内容の選択指示信号６３が与えられることにより、選択手段１６１Ｒ，１６１Ｇ，１６１Ｂの選択は同調して行われる。したがって、選択手段１６１Ｒ，１６１Ｇ，１６１Ｂが映像データＲＰ，ＧＰ，ＢＰをそれぞれ出力する動作（換言すれば選択手段１６１Ｒ，１６１Ｇ，１６１Ｂが全体として通常映像データＤ１を出力する動作）、または、選択手段１６１Ｒ，１６１Ｇ，１６１Ｂのいずれも予備映像データＤ２を出力する動作が択一的に行われる。
【００６８】
選択手段１６１Ｒ，１６１Ｇ，１６１Ｂにおいて選択され出力されるデータＲＤ，ＧＤ，ＢＤは、図１の例では、変調駆動手段８０へ供給される。但し、出力データＲＤ，ＧＤ，ＢＤは、所定の各種処理が更に施された後に、変調駆動手段８０へ供給されてもよい。これらの例に鑑みれば、選択手段１６１Ｒ，１６１Ｇ，１６１Ｂからの出力データＲＤ，ＧＤ，ＢＤは、直接的または間接的に変調駆動手段８０へ供給される。換言すれば、選択手段１６０によるデータ選択処理は、変調駆動手段８０へ供給する映像データの候補を選択する処理にあたる。
【００６９】
なお、演算手段１５０および選択手段１６０の各種処理はハードウェア、ソフトウェアまたはそれらの組合せによって具現可能である。
【００７０】
ここで、表示装置１では、選択指示信号６３の内容は、ユーザによる操作手段１００を介した指示に従って設定される。より具体的には図４のフローチャートに例示するように、制御手段６０が、ユーザからの指示を取得し（ステップＳＴ１１）、当該ユーザ指示の判別結果に応じた内容の選択指示信号６３を出力する（ステップＳＴ１２）。そして、選択手段１６０は、選択指示信号６３の内容に従って、通常映像データＤ１または予備映像データＤ２を選択的に出力する（ステップＳＴ１３，ＳＴ１４）。
【００７１】
＜表示装置１の動作＞
図１〜図４に加え図５〜図１１を参照して表示装置１の動作を例示する。なお、図５、図６、図９および図１１に表示装置１の動作内容を例示し、図７、図８および図１０は表示装置１による表示映像を例示する。
【００７２】
まず、通常表示時における表示装置１の動作を説明する。通常表示はユーザが操作手段１００を介して通常表示を要求することにより実行される。かかるユーザ指示は制御手段６０へ入力され、制御手段６０は次の制御処理を行う。
【００７３】
制御手段６０は、通常表示の指示を受信すると、データ供給手段９０の選択手段１６０に対して、通常映像データＤ１すなわち映像データＲＰ，ＧＰ，ＢＰを選択させる旨の指示信号６３を発信する（図３参照）。これにより、通常映像データＲＰ，ＧＰ，ＢＰが映像データＲＤ，ＧＤ，ＢＤとして変調駆動手段８０へ供給される。通常映像データＤ１は１フレーム単位で垂直同期信号Ｖｓｙｎｃに同期して供給される（図５参照）。
【００７４】
なお、フレームを区別する場合は、ｎを自然数として、第ｎフレームの映像データＲＰ，ＧＰ，ＢＰをＲＰ（ｎ），ＧＰ（ｎ），ＢＰ（ｎ）のように表現することにする。
【００７５】
また、制御手段６０は、駆動タイミングの設定に関する制御信号６１Ｒ，６１Ｇ，６１Ｂ，６２を、定電流回路７１Ｒ，７１Ｇ，７１Ｂおよび変調駆動手段８０へ発信する。ここでの制御信号６１Ｒ，６１Ｇ，６１Ｂ，６２は、１フレーム期間を３分割するタイミングで動作させる旨を内容とする。
【００７６】
これにより、定電流回路７１Ｒ，７１Ｇ，７１Ｂは、制御信号６１Ｒ，６１Ｇ，６１Ｂによる駆動タイミング設定と、垂直同期信号Ｖｓｙｎｃとに基づいて、ＬＥＤ１０Ｒ，１０Ｇ，１０Ｂを１フレーム期間を３分割したタイミングで順に切り替えて点灯させる（図５参照）。つまり、ＬＥＤ１０Ｒ，１０Ｇ，１０Ｂは時分割方式で駆動される。
【００７７】
また、変調駆動手段８０は、制御信号６２による駆動タイミング設定と、垂直同期信号Ｖｓｙｎｃとに基づいて、供給された映像データＲＰ，ＧＰ，ＢＰを１フレーム期間を３分割したタイミングで順に切り替えて、変調素子３０の駆動に利用する（図５参照）。つまり、変調素子３０は時分割方式で駆動される。
【００７８】
ここで、ＬＥＤ１０Ｒ，１０Ｇ，１０Ｂの点灯順序および映像データＲＰ，ＧＰ，ＢＰの利用順序は図５の例に限定されるものではない。但し、点灯させるＬＥＤの発光色に対応した映像データによって変調駆動が行われるように制御される。すなわち、Ｒ−ＬＥＤ１０Ｒが点灯する期間は赤色に関する映像データＲＤによって変調駆動が行われ、Ｇ−ＬＥＤ１０Ｇが点灯する期間は緑色に関する映像データＧＤによって変調駆動が行われ、Ｂ−ＬＥＤ１０Ｂが点灯する期間は青色に関する映像データＢＤによって変調駆動が行われる。
【００７９】
これらの結果、映像データＲＰによって変調された赤色の変調光３１Ｒ（図１参照）と、映像データＧＰによって変調された緑色の変調光３１Ｇ（図１参照）と、映像データＢＰによって変調された青色の変調光３１Ｂ（図１参照）とが時分割で投写レンズ４０から出力される。これら各色の映像はスクリーン５０の同じ領域上に時分割で映し出される。なお、ユーザにはこれらが合成されてカラー映像として見える。
【００８０】
ここで、例えばＲ定電流回路７１Ｒの故障により、Ｒ−ＬＥＤ１０Ｒが正常に稼動しない状況を想定する。このような状況で通常表示動作を行った場合、図６に示すように、Ｒ−ＬＥＤ１０Ｒによる映像は投写されない。なお、例えばＲ−ＬＥＤ１０Ｒ自体が故障している場合も同様である。
【００８１】
したがって、例えば図７に示す赤色単色によるグラデーション映像は、図８に示すように全面真っ黒な映像として表示されてしまう。すなわち、通常映像データＤ１によって提供される情報（ここでは赤色のグラデーション映像という情報）が全く欠落してしまう。なお、図７および図８中に記載の数値は映像データＲＤ，ＧＤ，ＢＤの例、すなわち表示映像における赤色、緑色および青色の階調レベルの例である。
【００８２】
しかし、かかる場合には予備表示を利用すればよい。予備表示はユーザが操作手段１００を介して予備表示を要求することにより実行される。かかるユーザ指示は制御手段６０へ入力され、制御手段６０は次の制御処理を行う。
【００８３】
制御手段６０は、予備表示の指示を受信すると、データ供給手段９０の選択手段１６０に対して、予備映像データＤ２（ここでは輝度データＹが例示される）を選択させる旨の指示信号６３を発信する（図３参照）。これにより、予備映像データＹが映像データＲＤ，ＧＤ，ＢＤとして変調駆動手段８０へ供給される。予備映像データＤ２は１フレーム単位で垂直同期信号Ｖｓｙｎｃに同期して供給される（図９参照）。
【００８４】
なお、フレームを区別する場合は、ｎを自然数として、第ｎフレームの映像データＹをＹ（ｎ）のように表現することにする。
【００８５】
また、制御手段６０は、定電流回路７１Ｒ，７１Ｇ，７１Ｂおよび変調駆動手段８０の駆動タイミングを、通常表示時と同様に設定する。
【００８６】
なお、実施の形態１に係る駆動タイミングの設定内容は通常表示と予備表示とで同じであるため、例えば表示装置１の電源投入時に当該設定を行い、通常表示と予備表示との切り替え時における設定動作を省略することも可能である。
【００８７】
ここで、変調駆動手段８０の動作自体は通常表示時と予備表示時とで同じである。しかし、上記のように変調駆動手段８０へ供給される映像データＲＤ，ＧＤ，ＢＤの種類が異なる。すなわち、通常表示時の供給データＲＤ，ＧＤ，ＢＤは表示色に関するデータＲＰ，ＧＰ，ＤＰにそれぞれ対応する（図５参照）。これに対し、予備表示時の供給データＲＤ，ＧＤ，ＢＤは表示輝度に関するデータＹであり、しかもいずれのデータＲＤ，ＧＤ，ＢＤも同じ内容のデータである（図９参照）。
【００８８】
したがって、予備表示では、変調駆動手段８０は１フレーム期間中、当該期間を３分割したタイミングのそれぞれにおいて、同じ内容の予備映像データＹによって変調素子３０を駆動する（図９参照）。つまり、変調素子３０は時分割方式で駆動されるが、１フレーム期間中の３つの分割期間のいずれも同じ変調動作を行う。
【００８９】
但し、Ｒ−ＬＥＤ１０Ｒが点灯不能であるため、Ｒ−ＬＥＤ１０Ｒの投写期間中は、変調素子３０が変調動作を行っても、映像は投写されない。
【００９０】
これらの結果、映像データＹによって変調された緑色の変調光３１Ｇ（図１参照）と、映像データＹによって変調された青色の変調光３１Ｂ（図１参照）とが時分割で投写レンズ４０から出力される。これにより、緑色の映像と青色の映像とがスクリーン５０上に時分割で映し出される。
【００９１】
この場合、例えば図７に示す赤色単色によるグラデーション映像は、図１０に示すように水色のグラデーション映像として表示される。なお、図１０中に記載の数値は映像データＲＤ，ＧＤ，ＢＤの例、すなわち表示映像における赤色、緑色および青色の階調レベルの例である。
【００９２】
つまり、予備表示によれば、赤色という色の情報は欠落してしまうが、グラデーションという情報は表示することができる。したがって、通常映像データＤ１によって提供される情報（ここでは赤色のグラデーション映像という情報）が完全に欠落してしまうのを回避することができる。ここで例示した赤色のグラデーション映像においては赤色という情報よりもグラデーションという情報の方が重要度が高いと考えられるため、重要な情報の欠落を回避できる点において有用である。
【００９３】
なお、Ｇ−ＬＥＤ１０ＧまたはＢ−ＬＥＤ１０Ｂが点灯不能の場合にも、通常映像データＤ１によって提供される情報の完全欠落を回避することができる。さらに、３色のうち任意の２色が利用不能の場合にも同様の効果を得ることができる。図１１にはＲ−ＬＥＤ１０ＲおよびＧ−ＬＥＤ１０Ｇが点灯不能の場合を例示している。
【００９４】
＜効果＞
上記のように表示装置１によれば、通常映像データＤ１と予備映像データＤ２とを切り替え可能である。したがって、例えば一部の光源が点灯不能になった場合、通常映像データＤ１において点灯不能の光源に割り当てられていた情報が全く表示されないという事態を、予備映像データＤ２の利用によって回避することが可能になる。
【００９５】
かかる効果は、予備映像データＤ２が通常映像データＤ１と異なることによって得られる。
【００９６】
しかし、通常映像データＤ１に含まれる映像データＲＰ，ＧＰ，ＢＰを線形結合する（但し係数は零でない）ことによって、予備映像データＤ２を生成するのが、より好ましい。これは次の理由による。当該線形結合によれば、通常表示時において各ＬＥＤ１０Ｒ，１０Ｇ，１０Ｂに割り当てられる映像データＲＰ，ＧＰ，ＢＰの全てが予備映像データＤ２中に組み込まれる。したがって、一部のＬＥＤが点灯不能になった場合でも残余のＬＥＤによって、上記効果をより確実に得ることができる。線形結合演算の例として上記ではＲＧＢ→Ｙ変換を挙げたが、これに限定されるものではない。
【００９７】
線形結合演算に関連して、上記では予備映像データＤ２が映像データＲＤ，ＧＤ，ＢＤに関して同じデータ内容である場合を例示した。しかし、予備表示時の映像データＲＤ，ＧＤ，ＢＤが異なるデータ内容になるように、線形結合演算を設定することも可能である。
【００９８】
しかし、上記のように予備映像データＤ２はＬＥＤ１０Ｒ，１０Ｇ，１０Ｂに対して共通に割り当てられる単一のデータであることが、より好ましい。これによれば、ＬＥＤ１０Ｒ，１０Ｇ，１０Ｂに割り当てられるデータが同じ内容であるので、予備映像データＤ２の生成手段、すなわち演算手段１５０を簡潔な構成とすることができる。また、点灯不能なＬＥＤも含めて全てのＬＥＤ１０Ｒ，１０Ｇ，１０Ｂに対して同じ予備映像データＤ２を割り当てることにより、通常映像データの代わりに予備映像データを用いるだけで済む。すなわち、変調制御等を通常表示時と予備表示時とで変更する必要がない。したがって、装置構成を簡潔にすることができる。これらの簡潔な構成はコスト削減にも繋がる。
【００９９】
なお、予備映像データＤ２として輝度成分データＹ以外のデータを採用することも可能である。しかし、入力映像信号によって供給される映像の輝度成分によれば、当該入力映像がモノクロ表示されることになるので、通常映像データＤ１において点灯不能の光源に割り当てられていた情報が全く表示されないという上記事態を、より確実に回避することができる。
【０１００】
ところで、演算手段１５０は、通常映像データ１２４から予備映像データＤ２への変換を所定の演算に従って行う。このため、いわゆるルックアップテーブル（ＬＵＴ）による変換に比べて、変換制御フローを簡潔にすること、装置構成の規模を小さくすること、演算内容の変更を容易にすること等が可能である。
【０１０１】
例えば特許文献２の構成では光源故障時に用いる画像フレームを、ＬＵＴを利用して生成する。特に特許文献２の図５にはＬＵＴを使用する際のフローチャートが示されており、当該フローチャートによれば非常に場合分けが多いことが分かる。このため、複雑な変換制御フローが必要であると推測される。これに対して、本実施の形態１に係る構成によれば、所定の演算式に則った演算処理によって予備映像データＤ２が生成されるため、変換制御フローが簡潔である（図４参照）。
【０１０２】
また、変換制御フローが簡潔であるため、当該フローを実行するための構成も簡潔で済む。したがって、装置構成の規模を小さくするができる。
【０１０３】
また、演算手段１５０によれば、乗算器１５１Ｒ，１５１Ｇ，１５１Ｂでの乗算係数の変更は容易である。つまり、演算内容の変更が容易である。これに対し、ＬＵＴ方式によれば、ＬＵＴの内容を全て変更しなければならないので、演算内容の変更は大がかりになってしまう。
【０１０４】
＜実施の形態２＞
実施の形態２ではデータ供給手段９０（図１参照）の変形例を説明する。
【０１０５】
まず、実施の形態１では、予備映像データＤ２は既述の式（１）で与えられた。また、予備映像データＤ２は、予備表示時にデータ供給手段９０から出力される映像データＲＤ，ＧＤ，ＢＤの全てに設定される。したがって、次式（４）が導かれる。
【０１０６】
【数４】
2012032887.tif 000006
【０１０７】
これに対し、通常表示時の映像データＲＤ，ＧＤ，ＢＤは次式（５）で表現可能である。
【０１０８】
【数５】
2012032887.tif 000007
【０１０９】
ここで、式（４），（５）は次式（６）によって共通化される。
【０１１０】
【数６】
2012032887.tif 000008
【０１１１】
すなわち、式（６）において係数α１１〜α１３，α２１〜α２３，α３１〜α３３の値を通常表示時と予備表示時とで切り替えることによって、式（４），（５）のいずれか一方を適宜選択することができる。より具体的には、係数α１１，α２２，α３３を１に設定し、それ以外の係数を０に設定することによって、式（５）が得られる。また、係数α１１，α２１，α３１をαｒに設定し、係数α１２，α２２，α３２をαｇに設定し、係数α１３，α２３，α３３をαｂに設定することによって、式（４）が得られる。
【０１１２】
かかる観点によれば、データ供給手段９０中のデータ演算手段を図１２のように構成可能である。図１２に例示のデータ演算手段１４１は、演算手段１７０と、選択手段１８０とを含んでいる。
【０１１３】
演算手段１７０は、映像データＲＰに係数α１１を乗算する乗算器１７１Ｒと、映像データＧＰに係数α１２を乗算する乗算器１７１Ｇと、映像データＢＰに係数α１３を乗算する乗算器１７１Ｂと、乗算器１７１Ｒ，１７１Ｇ，１７１Ｂによる乗算結果を加算する加算器１７２とを含んでいる。加算器１７２による加算結果が映像データＲＤである。
【０１１４】
同様に、演算手段１７０は、映像データＲＰ，ＧＰ，ＢＰに係数α２１，α２２，α２３をそれぞれ乗算する乗算器１７３Ｒ，１７３Ｇ，１７３Ｂと、乗算器１７３Ｒ，１７３Ｇ，１７３Ｂによる乗算結果を加算する加算器１７４とを含んでいる。加算器１７４による加算結果が映像データＧＤである。
【０１１５】
同様に、演算手段１７０は、映像データＲＰ，ＧＰ，ＢＰに係数α３１，α３２，α３３をそれぞれ乗算する乗算器１７５Ｒ，１７５Ｇ，１７５Ｂと、乗算器１７５Ｒ，１７５Ｇ，１７５Ｂによる乗算結果を加算する加算器１７６とを含んでいる。加算器１７６による加算結果が映像データＢＤである。
【０１１６】
また、選択手段１８０は、制御手段６０（図１参照）からの選択指示信号６３に従って、上記係数α１１〜α１３，α２１〜α２３，α３１〜α３３の値を設定する。
【０１１７】
つまり、演算手段１７０は演算内容が変更可能に構成されている。
【０１１８】
上記構成によれば、図１３のフローチャートに例示するように、制御手段６０が、ユーザからの指示を取得し（ステップＳＴ１１）、当該ユーザ指示の判別結果に応じた内容の選択指示信号６３を出力する（ステップＳＴ１２）。そして、選択手段１８０は、選択指示信号６３の内容に従って、通常映像データＤ１用の演算係数または予備映像データＤ２用の演算係数を選択し、選択した演算係数を乗算器１７１Ｒ，１７１Ｇ，１７１Ｂ，１７３Ｒ，１７３Ｇ，１７３Ｂ，１７５Ｒ，１７５Ｇ，１７５Ｂに設定する（ステップＳＴ２１，ＳＴ２２）。これにより、通常映像データＤ１用の演算式（５）または予備映像データＤ２用の演算式（４）を選択的に採用することができる。
【０１１９】
データ演算手段１４１を採用した表示装置１によっても、実施の形態１で述べた各種効果を得ることができる。なお、実施の形態１で例示したデータ演算手段１４０（図３参照）によれば、データ演算手段１４１（図１２参照）に比べて、構成規模を抑えることができ、それにより装置規模、コスト等を削減することができる。
【０１２０】
＜実施の形態３＞
実施の形態３では、予備表示時におけるＬＥＤ１０Ｒ，１０Ｇ，１０Ｂおよび変調素子３０の動作の変形例を説明する。ここでは表示装置１が実施の形態１に係る構成を有する場合を例示するが、実施の形態２の構成を採用することも可能である。
【０１２１】
図１４に、実施の形態３に係る予備表示の動作図解を例示する。図１４には、上記図９と同様に、Ｒ−ＬＥＤ１０Ｒが点灯不能の場合が例示されている。図１４と図９を対比することにより、実施の形態３に係る予備表示動作を理解しやすい。すなわち、実施の形態３に係る予備表示動作において、制御手段６０（図１参照）は、３つのＬＥＤ１０Ｒ，１０Ｇ，１０Ｂのうちの一部の光源であるＲ−ＬＥＤ１０Ｒに割り当てられている投写期間（図９参照）を、３つのＬＥＤ１０Ｒ，１０Ｇ，１０Ｂのうちの残余の光源であるＧ−ＬＥＤ１０ＧおよびＢ−ＬＥＤ１０Ｂによる映像投写に割り当てるための制御を行う。なお、予備表示動作において制御手段６０が選択手段１６０に予備映像データＤ２を選択させるための制御処理は実施の形態１と同様であるため、ここでは繰り返しの説明を省略する。
【０１２２】
制御手段６０は、予備表示の指示を受信すると、駆動タイミングの設定に関する制御信号６１Ｒ，６１Ｇ，６１Ｂ，６２を、定電流回路７１Ｒ，７１Ｇ，７１Ｂおよび変調駆動手段８０へ発信する。より具体的には、予備表示時の制御信号６１Ｒ，６１Ｇ，６１Ｂ，６２は、１フレーム期間を点灯可能なＬＥＤ１０Ｇ，１０Ｂのみに割り当てる、すなわち２分割するタイミングで動作させる旨を内容とする。
【０１２３】
これにより、定電流回路７１Ｒ，７１Ｇ，７１Ｂは、制御信号６１Ｒ，６１Ｇ，６１Ｂによる駆動タイミング設定と、垂直同期信号Ｖｓｙｎｃとに基づいて、点灯可能なＬＥＤ１０Ｇ，１０Ｂを１フレーム期間を２分割したタイミングで順に切り替えて点灯させる（図１４参照）。つまり、点灯可能なＬＥＤ１０Ｇ，１０Ｂだけが時分割方式で駆動される。
【０１２４】
また、変調駆動手段８０は、制御信号６２による駆動タイミング設定と、垂直同期信号Ｖｓｙｎｃとに基づいて、供給された予備映像データＹを１フレーム期間を２分割したタイミングで繰り返し利用する（図１４参照）。
【０１２５】
これらの結果、予備映像データＹによって変調された緑色変調光３１Ｇ（図１参照）と、予備映像データＹによって変調された青色変調光３１Ｂ（図１参照）とが時分割で投写レンズ４０から出力される。これにより、緑色の映像と青色の映像とがスクリーン５０上に時分割で映し出される。
【０１２６】
かかる構成によれば、実施の形態１等で述べた各種効果の他に、次の効果を得ることができる。
【０１２７】
すなわち、点灯不能なＲ−ＬＥＤ１０Ｒに割り当てられている投写期間（図９参照）を、点灯可能なＬＥＤ１０Ｇ，１０Ｂによる映像投写に割り当てるので、ＬＥＤが継続的に消灯してしまう期間を無くすことができる。したがって、実施の形態１等に比べて全体として明るい表示を得ることができる。
【０１２８】
上記ではＲ−ＬＥＤ１０Ｒが点灯不能の場合を例示したが、Ｇ−ＬＥＤ１０ＧまたはＢ−ＬＥＤ１０Ｂが点灯不能の場合にも、上記予備表示動作を適用可能であり、同様の効果を得ることができる。
【０１２９】
なお、上記では１フレーム期間を点灯可能なＬＥＤの個数で等分する場合を例示したが、分割の比率は不等分であってもよい。この場合、不等分比率は予め固定的に設定されても構わないし、あるいは、操作手段１００を介して調整可能にされても構わない。
【０１３０】
また、３色のうち任意の２色が利用不能の場合にも応用することが可能である。図１５にはＲ−ＬＥＤ１０ＲとＧ−ＬＥＤ１０Ｇの２つ光源が点灯不能の場合を例示している。この場合、１フレーム期間が点灯可能なＢ−ＬＥＤ１０Ｂのために１分割される。すなわち、１フレーム期間の全体がＢ−ＬＥＤ１０Ｂの点灯時間に割り当てられる。これにより、上記の効果を得ることができる。
【０１３１】
なお、３色のうちの１色のみが点灯不能になる場合を想定して、Ｒ−ＬＥＤ１０Ｒ以外のＬＥＤを用いるモード（ＧＢモードと称することにする）と、Ｇ−ＬＥＤ１０Ｇ以外のＬＥＤを用いるモード（ＲＢモードと称することにする）と、Ｂ−ＬＥＤ１０Ｂ以外のＬＥＤを用いるモード（ＲＧモードと称することにする）とを準備しておき、いずれかのモードをユーザが操作手段１００（図１参照）を介して選択するようにしてもよい。
【０１３２】
例えばＲ−ＬＥＤ１０Ｒが点灯不能である場合にはＧＢモードが選択されるべきところ、ＲＢモードを選択すると青色の単色表示になり、また、ＲＧモードを選択すると緑色の単色表示になるので、ユーザにとってモード選択は容易である。すなわち、赤色（Ｒ）、緑色（Ｇ）、青色（Ｂ）のいずれかによる単色映像が表示された場合にはモード選択が不適切であると判断可能である。
【０１３３】
同様に、３色のうちの２色が点灯不能になる場合を想定して、ＬＥＤ１０Ｒ，１０Ｇ以外のＬＥＤを用いるモード（Ｂモードと称することにする）と、ＬＥＤ１０Ｇ，１０Ｂ以外のＬＥＤを用いるモード（Ｒモードと称することにする）と、ＬＥＤ１０Ｂ，１０Ｒ以外のＬＥＤを用いるモード（Ｇモードと称することにする）とを準備しておき、いずれかのモードをユーザが操作手段１００（図１参照）を介して選択するようにしてもよい。
【０１３４】
例えばＬＥＤ１０Ｒ，１０Ｇが点灯不能である場合にはＢモードが選択されるべきところ、ＲモードおよびＧモードを選択しても映像が表示されないので、ユーザにとってモード選択は容易である。すなわち、映像が表示されない場合にはモード選択が不適切であると判断可能である。
【０１３５】
＜実施の形態４＞
上記実施の形態１〜３では通常表示と予備表示の切り替えをユーザが行う場合を例示した。これに対し、本実施の形態４では、かかる切り替えを自動化するための構成を例示する。
【０１３６】
図１６に実施の形態４に係る表示装置２のブロック図を例示する。図１６に例示の表示装置２は、実施の形態１に係る表示装置１（図１参照）に、ＬＥＤ１０Ｒ，１０Ｇ，１０Ｂの点灯状態を検出する検出手段１９０を追加した構成を有している。なお、検出手段１９０を実施の形態２，３に係る表示装置１に追加することも可能である。
【０１３７】
検出手段１９０は、例えば、ＬＥＤ１０Ｒ，１０Ｇ，１０Ｂに対してそれぞれ設けられた複数の光センサによって具現可能である。より具体的には、Ｒ−ＬＥＤ１０Ｒの出射光１１Ｒを検出可能な態様でＲ−ＬＥＤ１０Ｒ用の光センサが設けられ、同様にＬＥＤ１０Ｇ，１０Ｂ用の光センサがそれぞれ設けられる。この例によれば、出射光１１Ｒ，１１Ｇ，１１Ｂの存否または光量を検出することによって、ＬＥＤ１０Ｒ，１０Ｇ，１０Ｂの点灯状態を検出することが可能である。
【０１３８】
あるいは、検出手段１９０は、例えば、ＬＥＤ１０Ｒ，１０Ｇ，１０Ｂに対してそれぞれ設けられた複数の電流センサによって具現可能である。より具体的には、Ｒ−ＬＥＤ１０Ｒへの供給電流を検出可能な態様でＲ−ＬＥＤ１０Ｒ用の電流センサが設けられ、同様にＬＥＤ１０Ｇ，１０Ｂ用の電流センサがそれぞれ設けられる。この例によれば、ＬＥＤ１０Ｒ，１０Ｇ，１０Ｂへの供給電流の存否または電流量を検出することによって、ＬＥＤ１０Ｒ，１０Ｇ，１０Ｂの点灯状態を検出することが可能である。
【０１３９】
なお、ＬＥＤ１０Ｒ，１０Ｇ，１０Ｂに印加される電圧を検出する電圧センサ、ＬＥＤ１０Ｒ，１０Ｇ，１０Ｂへ供給される電力を検出する電力センサ等を採用することも可能である。
【０１４０】
検出手段１９０による検出結果は制御手段６０へ伝達され、制御手段６０は当該検出結果に基づいて選択手段１６０（図３参照）等を制御する。ここで、図１７にかかる制御のフローチャートを例示する。図１７の例によれば、制御手段６０は、検出手段１９０による検出結果を取得し（ステップＳＴ３１）、当該検出結果からＬＥＤ１０Ｒ，１０Ｇ，１０Ｂのそれぞれが所定のタイミングおよび期間で点灯しているか否かを判定し、これにより全てのＬＥＤ１０Ｒ，１０Ｇ，１０Ｂが正常に稼動しているか否かを判定する（ステップＳＴ３２）。制御手段６０は、全てのＬＥＤ１０Ｒ，１０Ｇ，１０Ｂが正常に稼動していると判定した場合、通常表示のための制御を行う（ステップＳＴ３３）。他方、制御手段６０は、全てのＬＥＤ１０Ｒ，１０Ｇ，１０Ｂが正常に稼動していないと判定した場合、予備表示のための制御を行う（ステップＳＴ３４）。
【０１４１】
なお、検出手段１９０の検出結果によれば、点灯可能なＬＥＤを特定できるため、制御手段６０は実施の形態３で説明したＧＢモード等のモード選択を行うことができる。
【０１４２】
表示装置２によれば、実施の形態１等で述べた各種効果の他に、次の効果を得ることができる。すなわち、通常表示と予備表示との切り替えを自動で行うことができ、高い利便性を得ることができる。
【０１４３】
＜実施の形態５＞
図１８に実施の形態５に係る表示装置３のブロック図を例示する。図１８に例示の表示装置３は、変調手段３０（図１参照）の代わりに変調手段３２を有している点を除いて、基本的には実施の形態１に係る表示装置１（図１参照）と同様の構成を有している。変調手段３２は３つの変調素子３３Ｒ，３３Ｇ，３３Ｂによって構成されている。なお、変調手段３２を実施の形態２〜４に係る表示装置１，２に採用することも可能である。
【０１４４】
Ｒ−ＬＥＤ１０Ｒ用の変調素子３３Ｒは、Ｒ−ＬＥＤ１０Ｒの出射光がダイクロイックミラー２０へ入射するまでの光路途中に設けられており、Ｒ−ＬＥＤ１０Ｒの出射光に対して光強度変調を施す。ＬＥＤ１０Ｇ，１０Ｂ用の変調素子３３Ｇ，３３Ｂも同様の態様で設けられている。各変調素子３３Ｒ，３３Ｇ，３３Ｂから出力される変調光は、ダイクロイックミラー２０によって同じ方向へ導かれ、その後、投写レンズ４０から出力される。
【０１４５】
変調手段３２のかかる構成に対応して、変調駆動手段８０は映像データＲＤに基づいて変調素子３３Ｒを駆動し、映像データＧＤに基づいて変調素子３３Ｇを駆動し、映像データＢＤに基づいて変調素子３３Ｂを駆動する。特に表示装置３によれば、３つの変調素子３３Ｒ，３３Ｇ，３３Ｂを時分割方式によって駆動することも可能であるし、あるいは、並行して同時に駆動する方式（いわゆる並列駆動方式）によって駆動することも可能である。
【０１４６】
表示装置３によっても、実施の形態１等で述べた各種効果を得ることができる。なお、本実施の形態５に比べて実施の形態１の方が変調手段の構成規模が抑えられ、それにより装置の規模、コスト等を削減することができる。
【０１４７】
なお、ＬＥＤ１０Ｒ，１０Ｇ，１０Ｂ毎に投写レンズを設けることによって投写手段を構成しても構わない。この場合、ダイクロイックミラー２０を用いずに、各投写レンズからの出力光路を調整することにより、ＬＥＤ１０Ｒ，１０Ｇ，１０Ｂによる映像をスクリーン５０の同じ領域上に導けばよい。かかる投写手段によっても上記の各種効果が得られる。なお、かかる投写手段は実施の形態１〜４においても採用可能である。
【０１４８】
＜実施の形態６＞
図１９〜図２１に実施の形態６に係る映像処理装置３００〜３０２のブロック図を例示する。図１９に例示の映像処理装置３００は上記のデータ供給手段９０を含んでいる。また、図２０に例示の映像処理装置３０１は映像処理装置３００に上記の変調駆動手段８０を追加した構成を有し、図２１に例示の映像処理装置３０２は映像処理装置３０１に上記の制御手段６０を追加した構成を有している。映像処理装置３００〜３０２によれば、上記の各種効果を奏する表示装置１等を簡便に提供することができる。
【０１４９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１５０】
１〜３  表示装置、１０Ｒ，１０Ｇ，１０Ｂ  光源、１１Ｒ，１１Ｇ，１１Ｂ  出射光、３０，３２  変調手段、６０  制御手段、８０  変調駆動手段、９０  データ供給手段、１１０  入力映像信号、１２０  通常映像データ取得手段、１５０，１７０  演算手段、１６０，１８０  選択手段、Ｄ１，ＲＰ，ＧＰ，ＢＰ  通常映像データ、Ｄ２，Ｙ  予備映像データ、３００〜３０２  映像処理装置。
【図１】
2012032887.tif 000009
【図２】
2012032887.tif 000010
【図３】
2012032887.tif 000011
【図４】
2012032887.tif 000012
【図５】
2012032887.tif 000013
【図６】
2012032887.tif 000014
【図９】
2012032887.tif 000015
【図１１】
2012032887.tif 000016
【図１２】
2012032887.tif 000017
【図１３】
2012032887.tif 000018
【図１４】
2012032887.tif 000019
【図１５】
2012032887.tif 000020
【図１６】
2012032887.tif 000021
【図１７】
2012032887.tif 000022
【図１８】
2012032887.tif 000023
【図１９】
2012032887.tif 000024
【図２０】
2012032887.tif 000025
【図２１】
2012032887.tif 000026
【図７】
2012032887.tif 000027
【図８】
2012032887.tif 000028
【図１０】
2012032887.tif 000029
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
複数の光源（１０Ｒ，１０Ｇ，１０Ｂ）と、
前記複数の光源からの出射光（１１Ｒ，１１Ｇ，１１Ｂ）に対して光強度変調を行う変調手段（３０，３２）と、
前記変調手段を映像データ（ＲＤ，ＧＤ，ＢＤ）に基づいて駆動する変調駆動手段（８０）と、
前記変調駆動手段へ前記映像データを供給するデータ供給手段（９０）と、
前記データ供給手段を制御する制御手段（６０）と
を備え、
前記データ供給手段は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を、前記制御手段の指示に従って行う選択手段（１６０，１８０）と
を含み、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行う、表示装置（１〜３）。
【請求項２】
請求項１に記載の表示装置であって、
前記所定の演算は前記通常映像データに含まれる前記複数の映像データの線形結合（但し係数は零でない）を含む、表示装置（１〜３）。
【請求項３】
請求項１に記載の表示装置であって、
前記予備映像データは前記複数の光源に対して共通に割り当てられる単一のデータである、表示装置（１〜３）。
【請求項４】
請求項１に記載の表示装置であって、
前記予備映像データは前記入力映像信号によって与えられる映像の輝度成分のデータ（Ｙ）であり、
前記所定の演算は前記通常映像データに含まれる前記複数の映像データから前記輝度成分のデータを生成する演算を含む、
表示装置（１〜３）。
【請求項５】
（削除）
【請求項６】
請求項１に記載の表示装置であって、
前記複数の光源の点灯状態を検出する検出手段（１９０）
をさらに備え、
前記制御手段は前記検出手段による検出結果に基づいて前記選択手段を制御する、
表示装置（２）。
【請求項７】
複数の光源（１０Ｒ，１０Ｇ，１０Ｂ）からの出射光（１１Ｒ，１１Ｇ，１１Ｂ）に対して光強度変調を行う映像表示方式に適用可能な映像処理装置（３０２）であって、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を行う選択手段（１６０，１８０）と、
前記選択処理の指示を行う制御手段（６０）と
を備え、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行う、映像処理装置（３０２）。
【請求項８】
複数の光源（１０Ｒ，１０１Ｇ，１０Ｂ）からの出射光（１１Ｒ，１１Ｇ，１１Ｂ）に対して光強度変調を行う表示装置を使った映像表示方法であって、
前記表示装置は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と
を備え、
前記複数の光源の全てが点灯可能な場合には前記通常映像データに基づいて前記光強度変調を行わせ、前記複数の光源のうちの一部のみが点灯可能な場合には前記予備映像データに基づいて前記光強度変調を行わせ、
前記複数の光源による映像投写を時分割で行う場合、前記予備表示時に、前記複数の光源のうちの一部の光源に割り当てられている投写期間を、前記複数の光源のうちの残余の光源による映像投写に割り当てるための制御を行う、映像表示方法。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
複数の光源（１０Ｒ，１０Ｇ，１０Ｂ）と、
前記複数の光源からの出射光（１１Ｒ，１１Ｇ，１１Ｂ）に対して光強度変調を行う変調手段（３０，３２）と、
前記変調手段を映像データ（ＲＤ，ＧＤ，ＢＤ）に基づいて駆動する変調駆動手段（８０）と、
前記変調駆動手段へ前記映像データを供給するデータ供給手段（９０）と、
前記データ供給手段を制御する制御手段（６０）と
を備え、
前記データ供給手段は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を、前記制御手段の指示に従って行う選択手段（１６０，１８０）と
を含み、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行う、表示装置（１〜３）。
【請求項２】
請求項１に記載の表示装置であって、
前記所定の演算は前記通常映像データに含まれる前記複数の映像データの線形結合（但し係数は零でない）を含む、表示装置（１〜３）。
【請求項３】
請求項１に記載の表示装置であって、
前記予備映像データは前記複数の光源に対して共通に割り当てられる単一のデータである、表示装置（１〜３）。
【請求項４】
請求項１に記載の表示装置であって、
前記予備映像データは前記入力映像信号によって与えられる映像の輝度成分のデータ（Ｙ）であり、
前記所定の演算は前記通常映像データに含まれる前記複数の映像データから前記輝度成分のデータを生成する演算を含む、
表示装置（１〜３）。
【請求項５】
請求項１に記載の表示装置であって、
前記複数の光源の点灯状態を検出する検出手段（１９０）
をさらに備え、
前記制御手段は前記検出手段による検出結果に基づいて前記選択手段を制御する、
表示装置（２）。
【請求項６】
複数の光源（１０Ｒ，１０Ｇ，１０Ｂ）からの出射光（１１Ｒ，１１Ｇ，１１Ｂ）に対して光強度変調を行う映像表示方式に適用可能な映像処理装置（３０２）であって、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を行う選択手段（１６０，１８０）と、
前記選択処理の指示を行う制御手段（６０）と
を備え、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行う、映像処理装置（３０２）。
【請求項７】
複数の光源（１０Ｒ，１０１Ｇ，１０Ｂ）からの出射光（１１Ｒ，１１Ｇ，１１Ｂ）に対して光強度変調を行う表示装置を使った映像表示方法であって、
前記表示装置は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と
を備え、
前記複数の光源の全てが点灯可能な場合には前記通常映像データに基づいて前記光強度変調を行わせ、前記複数の光源のうちの一部のみが点灯可能な場合には前記予備映像データに基づいて前記光強度変調を行わせ、
前記複数の光源による映像投写を時分割で行う場合、前記予備表示時に、前記複数の光源のうちの一部の光源に割り当てられている投写期間を、前記複数の光源のうちの残余の光源による映像投写に割り当てるための制御を行う、映像表示方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
複数の光源（１０Ｒ，１０Ｇ，１０Ｂ）と、
前記複数の光源を駆動する光源駆動手段（７０）と、
前記複数の光源からの出射光（１１Ｒ，１１Ｇ，１１Ｂ）に対して光強度変調を行う変調手段（３０，３２）と、
前記変調手段を映像データ（ＲＤ，ＧＤ，ＢＤ）に基づいて駆動する変調駆動手段（８０）と、
前記変調駆動手段へ前記映像データを供給するデータ供給手段（９０）と、
前記データ供給手段を制御する制御手段（６０）と
を備え、
前記データ供給手段は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を前記変調駆動手段へ供給するための選択処理を、前記制御手段の指示に従って行う選択手段（１６０，１８０）と
を含み、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行い、
当該制御において前記制御手段は、
１フレーム期間を前記残余の光源の個数で等分に分割した駆動タイミングで前記残余の光源が切り替わることによって前記残余の光源が時分割で点灯するように、前記光源駆動手段を制御するとともに、
前記変調手段が前記駆動タイミングに同期して前記予備映像データで駆動されるように、前記変調駆動手段を制御する、
表示装置（１〜３）。
【請求項２】
請求項１に記載の表示装置であって、
前記所定の演算は前記通常映像データに含まれる前記複数の映像データの線形結合（但し係数は零でない）を含む、表示装置（１〜３）。
【請求項３】
請求項１に記載の表示装置であって、
前記予備映像データは前記複数の光源に対して共通に割り当てられる単一のデータである、表示装置（１〜３）。
【請求項４】
請求項１に記載の表示装置であって、
前記予備映像データは前記入力映像信号によって与えられる映像の輝度成分のデータ（Ｙ）であり、
前記所定の演算は前記通常映像データに含まれる前記複数の映像データから前記輝度成分のデータを生成する演算を含む、
表示装置（１〜３）。
【請求項５】
請求項１に記載の表示装置であって、
前記複数の光源の点灯状態を検出する検出手段（１９０）
をさらに備え、
前記制御手段は前記検出手段による検出結果に基づいて前記選択手段を制御する、
表示装置（２）。
【請求項６】
複数の光源（１０Ｒ，１０Ｇ，１０Ｂ）からの出射光（１１Ｒ，１１Ｇ，１１Ｂ）に対して光強度変調を行う映像表示方式に適用可能な映像処理装置（３０２）であって、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と、
前記通常映像データと前記予備映像データとのうちのいずれか一方を変調駆動手段へ供給するための選択処理を行う選択手段（１６０，１８０）と、
前記選択処理の指示を行う制御手段（６０）と
を備え、
前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行い、
当該制御において前記制御手段は、
１フレーム期間を前記残余の光源の個数で等分に分割した駆動タイミングで前記残余の光源が切り替わることによって前記残余の光源が時分割で点灯するように、光源駆動手段を制御するとともに、
前記光強度変調を行う変調手段が前記駆動タイミングに同期して前記予備映像データで駆動されるように、前記変調駆動手段を制御する、
映像処理装置（３０２）。
【請求項７】
複数の光源（１０Ｒ，１０１Ｇ，１０Ｂ）からの出射光（１１Ｒ，１１Ｇ，１１Ｂ）に対して光強度変調を行う表示装置を使った映像表示方法であって、
前記表示装置は、
入力映像信号（１１０）から、通常表示時に前記複数の光源にそれぞれ割り当てられる複数の映像データ（ＲＰ，ＧＰ，ＢＰ）を通常映像データ（Ｄ１）として取得する通常映像データ取得手段（１２０）と、
前記通常映像データに含まれる前記複数の映像データに対して所定の演算を行うことによって、予備表示時に前記通常映像データに代わって用いられる予備映像データ（Ｄ２）を生成する演算手段（１５０，１７０）と
を備え、
前記複数の光源の全てが点灯可能な場合には前記通常映像データに基づいて前記光強度変調を行わせ、前記複数の光源に点灯不能な光源がある場合には前記予備映像データに基づいて前記光強度変調を行わせ、
前記複数の光源による映像投写を時分割で行う場合、前記予備表示時に、前記複数の光源のうちの一部の光源に割り当てられている投写期間を、前記複数の光源のうちの残余の光源による映像投写に割り当てるための制御を行い、
当該制御において、
１フレーム期間を前記残余の光源の個数で等分に分割した駆動タイミングで前記残余の光源が切り替わることによって前記残余の光源が時分割で点灯するように、光源駆動手段を制御するとともに、
前記光強度変調を行う変調手段が前記駆動タイミングに同期して前記予備映像データで駆動されるように、変調駆動手段を制御する、
映像表示方法。
【手続補正２】
【補正対象書類名】明細書
【補正対象項目名】０００８
【補正方法】変更
【補正の内容】
【０００８】
本発明の一態様に係る表示装置は、複数の光源と、前記複数の光源を駆動する光源駆動手段と、前記複数の光源からの出射光に対して光強度変調を行う変調手段と、前記変調手段を映像データに基づいて駆動する変調駆動手段と、前記変調駆動手段へ前記映像データを供給するデータ供給手段と、前記データ供給手段を制御する制御手段とを備え、前記データ供給手段は、入力映像信号から、通常表示時に前記複数の光源にそれぞれ割り当てられる複数の映像データを通常映像データとして取得する通常映像データ取得手段と、前記通常映像データに含まれる前記複数の映像データに対して所定の演算を行うことによって、予備表示時に前記通常映像データに代わって用いられる予備映像データを生成する演算手段と、前記通常映像データと前記予備映像データとのうちのいずれか一方を前記変調駆動手段へ供給するための選択処理を、前記制御手段の指示に従って行う選択手段とを含み、前記複数の光源による映像投写を時分割で行う場合、前記制御手段は、前記予備表示時に、前記複数の光源のうちの一部の光源に割り当てられている投写期間を、前記複数の光源のうちの残余の光源による映像投写に割り当てるための制御を行い、当該制御において前記制御手段は、１フレーム期間を前記残余の光源の個数で等分に分割した駆動タイミングで前記残余の光源が切り替わることによって前記残余の光源が時分割で点灯するように、前記光源駆動手段を制御するとともに、前記変調手段が前記駆動タイミングに同期して前記予備映像データで駆動されるように、前記変調駆動手段を制御する。
【手続補正３】
【補正対象書類名】明細書
【補正対象項目名】００１０
【補正方法】変更
【補正の内容】
【００１０】
また、通常映像データから予備映像データへの変換を演算によって行うので、いわゆるルックアップテーブル（ＬＵＴ）による変換に比べて、変換制御フローを簡潔にすること、装置構成の規模を小さくすること、演算内容の変更を容易にすること等が可能である。
また、複数の光源による映像投写を時分割で行う場合、予備表示時に、一部の光源に割り当てられている投写期間を、残余の光源による映像投写に割り当てるので、上記一部の光源に割り当てられている投写期間で継続的に消灯してしまうことがない。したがって、全体として明るい表示を得ることができる。
【手続補正４】
【補正対象書類名】明細書
【補正対象項目名】００３７
【補正方法】変更
【補正の内容】
【００３７】
ここでは操作手段１００は表示装置１の一要素として例示するが、操作手段１００として表示装置１とは別個の装置等を利用することも可能である。例えば、表示装置１に接続され表示映像を供給する装置（例えばパーソナルコンピュータ）の操作手段によって、表示装置１を操作するように構成することも可能である。
【手続補正５】
【補正対象書類名】明細書
【補正対象項目名】００４８
【補正方法】変更
【補正の内容】
【００４８】
なお、通常映像データ取得手段１２０は、他のデータや信号、例えばデータ演算手段１４０と変調駆動手段８０とに供給する水平同期信号を出力するように構成してもよい。
【手続補正６】
【補正対象書類名】明細書
【補正対象項目名】００４９
【補正方法】変更
【補正の内容】
【００４９】
また、入力映像信号１１０は例えばデジタルＲＧＢ映像信号であってもよい。また、入力映像信号１１０は、ＲＧＢ映像信号だけでなく、ビデオコンポジット信号、ＹＣｂＣｒ信号、ＳＤＩ信号等の他のフォーマットの映像信号であってもよい。入力映像信号１１０の種類に応じて、通常映像データ取得手段１２０の構成は適宜変形される。
【手続補正７】
【補正対象書類名】明細書
【補正対象項目名】００５０
【補正方法】変更
【補正の内容】
【００５０】
例えば、入力映像信号１１０が映像データＲＰ，ＧＰ，ＢＰおよび垂直同期信号Ｖｓｙｎｃを含んでいる場合、通常映像データ取得手段１２０は図２の例に倣えば配線１２１だけで構成され、当該配線１２１によって映像データＲＰ，ＧＰ，ＢＰおよび垂直同期信号Ｖｓｙｎｃを取得することになる。
【国際調査報告】
2012032887.tif 000030
2012032887.tif 000031
2012032887.tif 000032